(57)【要約】【課題】使い捨ておむつの製造の際、フロンタルテープの配置の良否を容易に検知することができる使い捨ておむつとその製造方法を提供する。【解決手段】液透過性のトップシート２と液不透過性のバックシート３とこれらの間に配された吸収性コア４とを有する使い捨ておむつ１であって、バックシート３の外面側にフロンタルテープ１４が設けられ、フロンタルテープ１４は、幅方向ｘの両側の端部領域に長手方向ｙに延びる着色部１５が設けられている。【選択図】図２
2018050675.tif 000002
【特許請求の範囲】
【請求項１】
長手方向と幅方向とを有し、液透過性のトップシートと、液不透過性のバックシートと、これらの間に配された吸収性コアとを有する使い捨ておむつであって、
前記バックシートの外面側にフロンタルテープが設けられ、
前記フロンタルテープは、幅方向の両側の端部領域に長手方向に延びる着色部が設けられていることを特徴とする使い捨ておむつ。
【請求項２】
前記フロンタルテープは、透明または半透明基材から構成されている請求項１に記載の使い捨ておむつ。
【請求項３】
前記バックシートには、少なくとも前記フロンタルテープと重なる部分に模様が施されている請求項２に記載の使い捨ておむつ。
【請求項４】
前記着色部は、前記バックシートの模様よりも低明度および／または高彩度の色で形成されている請求項３に記載の使い捨ておむつ。
【請求項５】
前記着色部は、前記バックシートの模様と色相角度差が９０°以内の色で形成されている請求項３または４に記載の使い捨ておむつ。
【請求項６】
前記着色部は、長手方向に延びる幅１ｍｍ以上２５ｍｍ以下の帯状に形成されている請求項１〜５のいずれか一項に記載の使い捨ておむつ。
【請求項７】
使い捨ておむつの外側面に設けられたフロンタルテープの配置の良否を判別する検査工程を有する使い捨ておむつの製造方法であって、
前記使い捨ておむつは、液透過性のトップシートと、液不透過性のバックシートと、これらの間に配された吸収性コアとを有し、
前記バックシートの外面側に前記フロンタルテープが設けられ、
前記フロンタルテープは、幅方向の両側の端部領域に長手方向に延びる着色部が設けられ、
前記検査工程では、前記フロンタルテープに光を照射して、その透過光または反射光を受光し、前記フロンタルテープの幅方向の両側に設けられた前記着色部の位置を検知することにより、前記フロンタルテープの配置の良否を判別することを特徴とする使い捨ておむつの製造方法。
【請求項８】
前記フロンタルテープは、透明または半透明基材から構成されている請求項７に記載の使い捨ておむつの製造方法。
【請求項９】
前記バックシートには、少なくとも前記フロンタルテープと重なる部分に模様が施されている請求項８に記載の使い捨ておむつの製造方法。
【請求項１０】
前記着色部は、前記バックシートの模様よりも低明度および／または高彩度の色で形成されている請求項９に記載の使い捨ておむつの製造方法。
【請求項１１】
前記着色部は、前記バックシートの模様と色相角度差が９０°以内の色で形成されている請求項９または１０に記載の使い捨ておむつの製造方法。
【請求項１２】
前記着色部は、長手方向に延びる幅１ｍｍ以上２５ｍｍ以下の帯状に形成されている請求項７〜１１のいずれか一項に記載の使い捨ておむつの製造方法。
【発明の詳細な説明】
【技術分野】
【０００１】
本発明は、テープタイプの使い捨ておむつとその製造方法に関するものである。
【背景技術】
【０００２】
従来、テープタイプの使い捨ておむつが広く用いられている。テープタイプの使い捨ておむつは、おむつの左右に設けられたファスニングテープをおむつの外面側に設けられたフロンタルテープに止着することにより、パンツ形状に形成して着用される。フロンタルテープには模様が施されたものが知られており、例えば特許文献１、２には、フロンタルテープに、ファスニングテープの止着位置の目印となる模様が施された使い捨ておむつが開示されている。
【先行技術文献】
【特許文献】
【０００３】
【特許文献１】特開２００８−１６８１１５号公報
【特許文献２】特開２０１２−１００７５２号公報
【発明の概要】
【発明が解決しようとする課題】
【０００４】
フロンタルテープが設けられた使い捨ておむつは、着用の際にファスニングテープをフロンタルテープの適切な位置に止着させて、おむつを着用者の腰周りにフィットさせるようにすることが、おむつの基本性能として求められる。そのために、フロンタルテープを所定の位置にずれることなく配置させることが必要となる。しかし、使い捨ておむつの製造ラインでは、使い捨ておむつが高速に搬送されるため、フロンタルテープの配置を正確に検知することが困難となる場合がある。特にフロンタルテープは白色基材から構成されたものが多く知られており、このような白色のフロンタルテープは使い捨ておむつの外面側に設けられるバックシートと同化しやすく、判別が難しくなりやすい。さらに近年では、透明または半透明基材から構成されたフロンタルテープが用いられる場合もあり、このような透明または半透明のフロンタルテープでは、フロンタルテープの配置を正確に検知することがより難しくなる。
【０００５】
本発明は前記事情に鑑みてなされたものであり、その目的は、使い捨ておむつの製造の際、フロンタルテープの配置の良否を容易に検知することができる使い捨ておむつとその製造方法を提供することにある。
【課題を解決するための手段】
【０００６】
前記課題を解決することができた本発明の使い捨ておむつとは、長手方向と幅方向とを有し、液透過性のトップシートと液不透過性のバックシートとこれらの間に配された吸収性コアとを有する使い捨ておむつであって、バックシートの外面側にフロンタルテープが設けられ、フロンタルテープは、幅方向の両側の端部領域に長手方向に延びる着色部が設けられているところに特徴を有する。
【０００７】
本発明は使い捨ておむつの製造方法も提供する。本発明の使い捨ておむつの製造方法は、使い捨ておむつの外側面に設けられたフロンタルテープの配置の良否を判別する検査工程を有する使い捨ておむつの製造方法であって、使い捨ておむつは、液透過性のトップシートと液不透過性のバックシートとこれらの間に配された吸収性コアとを有し、バックシートの外面側にフロンタルテープが設けられ、フロンタルテープは、幅方向の両側の端部領域に長手方向に延びる着色部が設けられ、検査工程で、フロンタルテープに光を照射して、その透過光または反射光を受光し、フロンタルテープの幅方向の両側に設けられた着色部の位置を検知することにより、フロンタルテープの配置の良否を判別するところに特徴を有する。
【０００８】
本発明の使い捨ておむつおよびその製造方法によれば、フロンタルテープの幅方向の両側の端部領域に長手方向に延びる着色部を設けることにより、使い捨ておむつの製造の際、フロンタルテープに設けた着色部を目印として、フロンタルテープがバックシートに正しく配置されているか検知することが容易になる。
【０００９】
フロンタルテープは、透明または半透明基材から構成されていることが好ましい。このようにフロンタルテープを構成することにより、使い捨ておむつの外面側から見てフロンタルテープを目立たなくさせることができ、使い捨ておむつの意匠性を高めることができる。特に本発明では、このように目立たなく形成されたフロンタルテープであっても、使い捨ておむつの製造の際、フロンタルテープの配置の良否を容易に検知することができる。
【００１０】
フロンタルテープが透明または半透明基材から構成される場合、バックシートには、少なくともフロンタルテープと重なる部分に模様が施されていることが好ましい。この場合、フロンタルテープを通じてバックシートの模様が視認可能となり、使い捨ておむつの意匠性を高めることができる。
【００１１】
着色部は、バックシートの模様よりも低明度および／または高彩度の色で形成されていることが好ましい。このようにフロンタルテープの着色部を形成することにより、着色部がバックシートの模様よりも目立って形成され、着色部の検知が容易になる。
【００１２】
着色部は、バックシートの模様と色相角度差が９０°以内の色で形成されていることが好ましい。フロンタルテープの着色部がこのように形成されていれば、バックシートの模様とフロンタルテープの着色部が比較的近い色彩で着色され、使い捨ておむつの外面側を一体感のあるデザインに形成しやすくなる。
【００１３】
着色部は、長手方向に延びる幅１ｍｍ以上２５ｍｍ以下の帯状に形成されていることが好ましい。このように着色部を形成することにより、着色部を目印として、フロンタルテープの配置の良否を容易に検知することができる。
【発明の効果】
【００１４】
本発明の使い捨ておむつおよびその製造方法によれば、フロンタルテープの幅方向の両側の端部領域に長手方向に延びる着色部を設けることにより、使い捨ておむつの製造の際、フロンタルテープに設けた着色部を目印として、フロンタルテープがバックシートに正しく配置されているか検知することが容易になる。
【図面の簡単な説明】
【００１５】
【図１】本発明の使い捨ておむつをトップシート側から見た平面図を表す。
【図２】図１に示した使い捨ておむつをバックシート側から見た平面図を表す。
【図３】図１に示した使い捨ておむつのＩＩＩ−ＩＩＩ断面図を表す。
【図４】図１に示した使い捨ておむつのＩＶ−ＩＶ断面図を表す。
【図５】図２に示した使い捨ておむつの変形例を表し、バックシートの拡大図を表す。
【図６】図２に示した使い捨ておむつの変形例を表し、バックシートの拡大図を表す。
【発明を実施するための形態】
【００１６】
本発明に係る使い捨ておむつの構成について、図面を参照して説明する。なお本発明は、図面に示された実施態様に限定されるものではない。図１は使い捨ておむつをトップシート側から見た平面図を表し、図２は図１に示した使い捨ておむつをバックシート側から見た平面図を表し、図３は図１に示した使い捨ておむつのＩＩＩ−ＩＩＩ断面図を表し、図４は図１に示した使い捨ておむつのＩＶ−ＩＶ断面図を表す。本願の図では、矢印ｘが幅方向、矢印ｙが長手方向を表し、矢印ｘ，ｙにより形成される面に対して垂直方向が厚み方向ｚを表す。なお図１および図２では、図面の上側がおむつの前側に相当し、図面の下側がおむつの後側に相当する。
【００１７】
使い捨ておむつ１は、長手方向ｙと幅方向ｘとを有し、液透過性のトップシート２と、液不透過性のバックシート３と、これらの間に配された吸収性コア４とを有する。トップシート２は、使い捨ておむつを着用した際に着用者側に位置するシートである。バックシート３は、使い捨ておむつを着用した際に着用者とは反対側、すなわち外側に位置するシートである。着用者から排泄された尿等は、トップシート２を透過して吸収性コア４により収容される。バックシート３は、排泄物が外部へ漏れるのを防いでいる。
【００１８】
長手方向ｙとは、使い捨ておむつを着用した際に着用者の股間の前後方向に延びる方向に相当する。幅方向ｘとは、使い捨ておむつと同一面上にあり長手方向ｙと直交する方向を意味し、使い捨ておむつを着用した際の着用者の左右方向に相当する。使い捨ておむつは、長手方向ｙに対して、前側部と股部と後側部を有する。前側部は、使い捨ておむつを着用の際に着用者の腹側に当てる部分に相当し、後側部は、使い捨ておむつを着用の際に着用者の背側に当てる部分に相当する。また、前側部と後側部との間に位置し、着用者の股間に当てる部分を股部と称する。本発明において、使い捨ておむつの肌面側とは、使い捨ておむつを着用した際の着用者の肌に向く側を意味し、使い捨ておむつの外面側とは、使い捨ておむつを着用した際の着用者とは反対に向く側を意味する。
【００１９】
トップシート２としては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００２０】
バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。バックシートは２以上のシートの積層体から構成されていてもよく、例えば、不織布とプラスチックフィルムとの積層体を用いてもよい。この場合、積層体を構成する少なくとも１つのシートが液不透過性であればよい。図面に示した使い捨ておむつでは、バックシート３がプラスチックフィルム３Ａと不織布３Ｂとの積層体から構成されている（図２〜図４を参照）。本発明において、液不透過性には撥水性の意味も含まれる。
【００２１】
吸収性コア４は、尿等の排泄物を吸収できる吸収性材料を含むものであれば特に限定されない。吸収性コア４としては、例えば、吸収性材料を所定形状に成形した成形体を用いることができる。吸収性コア４は、紙シート（例えば、ティッシュペーパーや薄葉紙）や液透過性不織布等の被覆シートで覆われてもよい。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２２】
吸収性材料は、尿等の吸収速度を高める点から、親水性繊維を含むことが好ましい。また、吸収容量を高める点からは、吸収性材料は吸水性樹脂を含むことが好ましい。従って、吸収性コアは親水性繊維（特にパルプ繊維）と吸水性樹脂を含むことが好ましい。この場合、例えば、親水性繊維の集合体に吸水性樹脂を混合または散布したものを用いることが好ましい。
【００２３】
吸収性コア４は、シート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２４】
シート状吸収体は、吸収性材料として吸水性繊維を用いたものであってもよい。この場合もまた、シート状吸収体が嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２５】
吸収性コア４の形状（平面形状）は特に限定されない。吸収性コア４の形状は、用途に応じて適宜決定すればよく、例えば、長方形、砂時計形、ひょうたん形、羽子板形等が挙げられる。なお、吸収性コアが着用者の大腿部に挟まれて幅方向に圧迫されても歪みにくくする点から、吸収性コアは略砂時計形に形成されていることが好ましい。
【００２６】
トップシート２の幅方向ｘの両側には、長手方向ｙに延在する液不透過性のサイドシート５が接合されることが好ましい（図１および図３を参照）。サイドシート５は、バックシート３に使用可能な材料から構成すればよく、例えば、液不透過性のプラスチックフィルムや液不透過性の不織布等から構成される。サイドシート５は、トップシート２とトップ接合部８で接合され、トップ接合部８よりも幅方向ｘの内方側がトップシート２から起立可能に形成され、トップ接合部８よりも幅方向ｘの外方側がバックシート３に積層されている。サイドシート５の幅方向ｘの内方側が起立することにより立ち上がりフラップ６が形成され、これにより尿等の幅方向ｘの横漏れを防止することができる。なお、サイドシート５の幅方向ｘの内方側がトップシート２から起立可能に形成されるために、サイドシート５には、トップ接合部８よりも幅方向ｘの内方側に長手方向ｙに延びる起立用弾性部材７が設けられることが好ましい。
【００２７】
立ち上がりフラップ６（すなわちサイドシート５の幅方向ｘの内方側）は長手方向ｙの端部の内面がトップシート２上に接合されてもよく、これにより尿等の長手方向ｙの外方への漏れが防止される。
【００２８】
上記説明した各シートとして不織布を用いる場合、不織布としては、スパンボンド不織布、エアスルー不織布、ポイントボンド不織布、メルトブロー不織布、エアレイド不織布、ＳＭＳ不織布等を用いることが好ましい。各シートの単位面積あたりの質量は、１０ｇ／ｍ2以上が好ましく、１２ｇ／ｍ2以上がより好ましく、また４０ｇ／ｍ2以下が好ましく、３０ｇ／ｍ2以下がより好ましい。
【００２９】
使い捨ておむつ１の幅方向ｘの両側には、長手方向ｙに延びる脚用弾性部材９が設けられることが好ましい。脚用弾性部材９を設けることにより、着用者の脚周りにギャザーを形成して脚周りのフィット性を高めたり、横漏れを防止することができる。脚用弾性部材９は、長手方向ｙに直線状に延びるように設けられることが好ましい。
【００３０】
脚用弾性部材９は、少なくとも一部が吸収性コア４よりも幅方向ｘの外方に設けられればよい。吸収性コア４が略砂時計形に形成される場合は、脚用弾性部材９は、長手方向ｙの両端部が吸収性コア４と重なり、その間の中間部が吸収性コア４と重ならないように設けられてもよい。このように脚用弾性部材９を設けることにより、着用者の脚周りに好適にギャザーが形成されるとともに、吸収性コア４が長手方向ｙの断面において湾曲して形成されやすくなり、吸収性コア４の着用者の股間へのフィット性が高まる。
【００３１】
使い捨ておむつ１の長手方向ｙの両側には、幅方向ｘに延びるウェスト弾性部材１０が設けられることが好ましい。ウェスト弾性部材１０を設けることにより、着用者の胴周りに沿ったウェストギャザーが形成され、腹部側や背中側からの尿等の漏れが防止される。ウェスト弾性部材１０は、幅方向ｘに直線状に延びるように設けられることが好ましい。
【００３２】
ウェスト弾性部材１０は、使い捨ておむつ１の長手方向ｙの端部に設けられ、好ましくは、吸収性コア４の長手方向ｙの端縁よりも外方に設けられる。すなわち、ウェスト弾性部材１０は使い捨ておむつ１の長手方向ｙの端縁と吸収性コア４の長手方向ｙの端縁の間に形成されることが好ましい。ウェスト弾性部材１０は、吸収性コア４と重ならないように設けられることが好ましい。
【００３３】
上記に説明した各弾性部材としては、ポリウレタン糸、ポリウレタンフィルム、天然ゴム等の通常の使い捨ておむつに用いられる弾性伸縮材料を用いることができる。弾性部材は、伸張状態で、ホットメルト接着剤等の接着剤で取り付けられることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００３４】
使い捨ておむつ１には、幅方向ｘの両側にファスニングテープ１１が設けられる。ファスニングテープ１１は、使い捨ておむつ１の長手方向ｙの後側部の左右側端部に取り付けられることが好ましい。ファスニングテープ１１は基材１２に止着部１３（例えばフック・ループ・ファスナーのフック部材や粘着剤）が設けられて構成されている。一方、使い捨ておむつ１には、バックシート３の外面側に止着対応部としてフロンタルテープ１４が設けられている。フロンタルテープ１４は、使い捨ておむつ１の長手方向ｙの前側部の外面側に設けられることが好ましい。フロンタルテープ１４はファスニングテープ１１の止着対象となり、ターゲットテープとも称される。フロンタルテープ１４は、例えばフック・ループ・ファスナーのループ部材やプラスチックフィルムから構成することができ、好ましくは、フック・ループ・ファスナーのループ部材を有して構成される。この場合、フロンタルテープ１４は基材にループ部が設けられて構成されることが好ましい。フロンタルテープ１４は、バックシート３に接着剤等により取り付けられればよい。使い捨ておむつ１は、着用者の股間に当てて、ファスニングテープ１１の止着部１３をフロンタルテープ１４に接合することで、装着することができる。
【００３５】
フロンタルテープ１４の形状や大きさは、使い捨ておむつの着用の際に、ファスニングテープ１１を止着する機能を果たすように形成されていれば、特に限定されない。フロンタルテープ１４の形状としては略矩形が好ましく、略矩形には角の丸まった矩形も含まれる。フロンタルテープ１４の大きさとしては、例えば幅方向ｘの長さがバックシート３の幅方向ｘの長さの４０％以上であることが好ましく、５０％以上がより好ましく、また９０％以下が好ましく、８０％以下がより好ましい。
【００３６】
フロンタルテープ１４は、図２に示すように、幅方向ｘの両側の端部領域が着色されて、着色部１５が形成されている。着色部１５は使い捨ておむつ１の長手方向ｙに延びるように形成され、このようにフロンタルテープ１４を構成することにより、使い捨ておむつの製造の際、フロンタルテープ１４の着色部１５を目印として、フロンタルテープ１４がバックシート３に正しく配置されているか検知することが容易になる。例えば、着色部１５が使い捨ておむつ（バックシート）の長手方向ｙと略平行に延びる状態がフロンタルテープ１４の正しい配置状態とすると、着色部１５の延在方向を検知することで、着色部１５が使い捨ておむつの長手方向ｙに対して斜めに延びた状態を不良と判別することができる。フロンタルテープ１４の幅方向ｘの端部領域が折れたりした場合（例えば、フロンタルテープ１４の隅部が折り返った場合）は、着色部１５が所定の長さを有していなかったり、着色部１５が折れて延在することで、フロンタルテープ１４が正しく配置されていないことを判別することができる。さらに、フロンタルテープ１４の幅方向ｘの両側の着色部１５の離間距離を測定したり、着色部１５の長手方向ｙの長さを測定することで、フロンタルテープ１４が一部折り返されたりすることなく平面状に広がってバックシート３に貼り付けられていることを判別することができる。
【００３７】
着色部１５を利用したフロンタルテープ１４の配置の良否の判別は、フロンタルテープ１４に光を照射して、その透過光または反射光を受光し、フロンタルテープ１４の幅方向ｘの両側の着色部１５の位置を確認することにより行うことができる。透過光または反射光を例えば撮像素子により受光して、画像処理することにより、着色部１５の位置を検知することができる。
【００３８】
フロンタルテープ１４の幅方向ｘの端部領域は、フロンタルテープ１４の幅方向ｘの端縁を含む領域であり、フロンタルテープ１４の幅方向ｘの端縁から２５ｍｍ以内の領域であることが好ましく、２０ｍｍ以内の領域が好ましく、１５ｍｍ以内の領域がさらに好ましい。フロンタルテープ１４の幅方向ｘの端部領域は、一部または全部が着色されていればよい。なお着色部１５は、フロンタルテープ１４の幅方向ｘの端部領域で、フロンタルテープ１４の長手方向ｙの全体にわたって連続的に延びていることが好ましく、これによりフロンタルテープ１４の隅部が折り返った場合に、フロンタルテープ１４が正しく配置されていないことを判別することができる。
【００３９】
着色部１５は、フロンタルテープ１４の幅方向ｘの端縁を含むように形成されることが好ましく、より好ましくは、フロンタルテープ１４の幅方向ｘの端縁の全体を含んで着色部１５が形成される。
【００４０】
フロンタルテープ１４の着色部１５は、長手方向ｙに延びる幅１ｍｍ以上２５ｍｍ以下の帯状に形成されていることが好ましい。着色部１５の幅は、より好ましくは２ｍｍ以上であり、３ｍｍ以上がさらに好ましく、また２０ｍｍ以下がより好ましく、１５ｍｍ以下がさらに好ましく、１０ｍｍ以下が特に好ましい。
【００４１】
着色部１５の色は特に限定されず、フロンタルテープ１４の地の色以外の色であればよく、例えば白色以外の色で形成されることが好ましい。着色部１５はまた、使い捨ておむつの製造の際に検知が容易になる点から、単一色で形成されることが好ましい。
【００４２】
着色部１５は比較的濃い色で形成されることが好ましく、これにより、使い捨ておむつの製造の際に着色部１５を検知しやすくなる。例えば着色部１５は、Ｌ*ａ*ｂ*表色系による彩度Ｃ*が２０以上で着色されることが好ましく、３０以上がより好ましく、４０以上がさらに好ましく、これにより着色部１５を比較的鮮やかな色で形成することができる。着色部１５は比較的暗い色で形成してもよく、例えばＬ*ａ*ｂ*表色系による明度Ｌ*が３０以下であってもよく、２５以下であってもよく、２０以下であってもよい。
【００４３】
着色部１５の色は、赤色、橙色、黄色、黄緑色、緑色、青色、紫色、黒色など特に限定されないが、使い捨ておむつを外面側から見たときの意匠性を高める点から、有彩色であることが好ましく、黄緑色〜紫色であることが好ましい。これをＬ*ａ*ｂ*表色系で表すと、着色部１５は、色相角度ｈが９０°以上３３０°以下の色で着色されていることが好ましい。色相角度ｈはより好ましくは１２０°以上であり、また３１５°以下がより好ましく、３００°以下がさらに好ましい。このときの彩度Ｃ*は、例えば２０以上が好ましく、３０以上がより好ましく、４０以上がさらに好ましい。明度Ｌ*は、色相に応じて取り得る範囲が変わるため、好適範囲を一概に定めることは難しいが、例えば２０以上が好ましく、３０以上がより好ましく、４０以上がさらに好ましく、また８０以下が好ましく、７５以下がより好ましく、７０以下がさらに好ましい。
【００４４】
上記に説明した色相角度ｈは、Ｌ*ａ*ｂ*表色系のａ*とｂ*の値から、次式により求めることができる：ｈ＝ｔａｎ-1［（ｂ*）／（ａ*）］。彩度Ｃ*は、Ｌ*ａ*ｂ*表色系のａ*とｂ*の値から、次式により求めることができる：Ｃ*＝［（ａ*）2＋（ｂ*）2］1/2。Ｌ*ａ*ｂ*表色系による色表示（Ｌ*、ａ*、ｂ*）は、例えば、コニカミノルタ社製の蛍光分光濃度計ＦＤ−７により測定することができる。
【００４５】
フロンタルテープ１４には、端部領域の着色部１５の幅方向ｘの内方に隣接して非着色部が設けられることが好ましい。非着色部は、フロンタルテープ１４の長手方向ｙの全体にわたって連続的に設けられることが好ましい。着色部１５の幅方向ｘの内方に隣接して非着色部を設けることにより、着色部１５を目立たせることができる。
【００４６】
フロンタルテープ１４は、透明または半透明基材から構成されていることも好ましい。この場合、フロンタルテープ１４は、透明または半透明の基材にループ部が設けられて構成されることが好ましい。ループ部は、無色（白色または透明もしくは半透明）であることが好ましい。このようにフロンタルテープ１４を構成することにより、使い捨ておむつの外面側から見てフロンタルテープ１４を目立たなくさせることができ、使い捨ておむつの意匠性を高めることができる。特に本発明では、このように目立たなく形成されたフロンタルテープ１４であっても、使い捨ておむつの製造の際、フロンタルテープ１４の配置を容易に検知することができる。
【００４７】
フロンタルテープ１４が透明または半透明基材から構成される場合、フロンタルテープ１４の着色部１５はバックシート３の地の色と異なる色で形成されることが好ましい。例えばバックシート３の地の色が白色である場合など（バックシート３の地の色はこれに限定されるわけではないが）、フロンタルテープ１４が透明または半透明基材から構成され、着色部１５が上記に説明したように着色されていることが好ましい。
【００４８】
フロンタルテープ１４が透明または半透明基材から構成される場合、バックシート３は、図５に示すように、少なくともフロンタルテープ１４と重なる部分に模様が施されていてもよい。模様は印刷によってバックシート３に形成されればよく、使い捨ておむつの外面側から視認可能に形成されていればよい。バックシート３が２以上のシートの積層体から構成される場合は、バックシート３を構成する少なくも１つのシートに模様が施されていればよい。図５では、バックシート３がプラスチックフィルム３Ａと不織布３Ｂとの積層体から構成され、プラスチックフィルム３Ａに模様が施され、当該模様がその外側に設けられた不織布３Ｂを通して視認可能となっている。このように使い捨ておむつを構成することにより、フロンタルテープ１４を通じてバックシート３の模様が視認可能となり、使い捨ておむつの意匠性を高めることができる。模様には、図形、イラスト、柄（パターン）、文字などが含まれる。模様の色は特に限定されず、無彩色であっても、有彩色であっても、これらの組み合わせであってもよい。模様は、バックシート３のフロンタルテープ１４と重なる部分以外にも施されていることが好ましい。
【００４９】
バックシート３に模様が施される場合、フロンタルテープ１４の着色部１５は、バックシート３の模様よりも低明度および／または高彩度の色で形成されていることが好ましい。このように着色部１５を形成することにより、使い捨ておむつの製造の際、着色部１５を目印としてフロンタルテープ１４の配置位置を容易に判別することができる。特に、フロンタルテープ１４を通じてバックシート３の模様が視認可能となっている場合は、このようにフロンタルテープ１４の着色部１５を形成することにより、着色部１５がバックシート３の模様よりも目立って形成され、着色部１５の検知が容易になる。明度および彩度はＬ*ａ*ｂ*表色系の明度Ｌ*と彩度Ｃ*に基づき定められ、フロンタルテープ１４の着色部１５は、バックシート３の模様の色よりも明度Ｌ*が１０以上低いことが好ましく、２０以上低いことがより好ましく、３０以上低いことがさらに好ましく、あるいは彩度Ｃ*が１０以上高いことが好ましく、２０以上高いことがより好ましく、３０以上高いことがさらに好ましい。使い捨ておむつの外面側の意匠性を高め、フロンタルテープ１４の着色部１５を目立たせる点からは、フロンタルテープ１４の端部領域はバックシート３の模様よりも高彩度の色で着色されていることが特に好ましい。なお、バックシート３の模様の明度や彩度は、バックシート３の外面側から模様の色を測定したときの値を用いる。
【００５０】
フロンタルテープ１４の着色部１５は、バックシート３の模様と色相角度差が９０°以内の色で形成されていることも好ましい。フロンタルテープ１４の着色部１５がこのように形成されていれば、バックシート３の模様とフロンタルテープ１４の着色部１５が比較的近い色彩で着色され、使い捨ておむつの外面側を一体感のあるデザインに形成しやすくなる。色相角度差は、Ｌ*ａ*ｂ*表色系の色相角度ｈの差から求めることができ、フロンタルテープ１４の着色部１５とバックシート３の模様との色相角度差は７５°以内がより好ましく、６０°以内がさらに好ましい。
【００５１】
上記に説明したバックシート３の模様の色とは、バックシート３の地の色に対して印刷等により着色が施された色を意味する。使い捨ておむつの外面側を一体的なデザインに形成する点からは、バックシート３に施された模様の色の全てが、フロンタルテープ１４の着色部１５の色との色相角度差あるいは明度や彩度の差に関して、上記に説明したように形成されていることが好ましい。
【００５２】
フロンタルテープ１４の幅方向ｘの端部領域の着色部１５は、バックシート３の模様よりも幅方向ｘの外方に位置することが好ましい。このように着色部１５を設けることにより、着色部１５をバックシート３の模様と区別して判別しやすくなる。より好ましくは、フロンタルテープ１４の着色部１５の全体が、バックシート３の模様よりも幅方向ｘの外方に位置する。
【００５３】
フロンタルテープ１４は、幅方向ｘの端部領域以外の部分も着色されていてもよい。例えばフロンタルテープ１４は、図６に示すように、幅方向ｘの中央領域も着色されて、着色部１６が形成されていてもよい。フロンタルテープ１４の幅方向ｘの中央領域とは、フロンタルテープ１４の幅方向ｘの中心線（長手方向ｙに延びる中心線）を含む領域を意味する。フロンタルテープ１４の幅方向ｘの中央領域の着色部１６は、フロンタルテープ１４の長手方向ｙの全体にわたって延びていることが好ましく、長手方向ｙに延びる帯状に形成されることが好ましい。フロンタルテープ１４の幅方向ｘの中央領域に着色部１６を形成することにより、フロンタルテープ１４の幅方向ｘの両側の端部領域の着色部１５と合わせて、フロンタルテープ１４の配置位置をより正確に検知することができる。
【００５４】
フロンタルテープ１４の幅方向ｘの中央領域の着色部１６の色の好適態様は、上記に説明したフロンタルテープ１４の幅方向ｘの両側の端部領域の着色部１５に関する説明が適用される。好ましくは、フロンタルテープ１４の幅方向ｘの中央領域の着色部１６は、フロンタルテープ１４の幅方向ｘの両側の端部領域の着色部１５と近い色相の色で形成され、両者の色相角度差は６０°以下が好ましく、４５°以下がより好ましく、３０°以下がさらに好ましい。
【００５５】
フロンタルテープ１４の幅方向ｘの中央領域の着色部１６は、フロンタルテープ１４の幅方向ｘの両側の端部領域の着色部１５から略等距離に形成されることが好ましい。具体的には、フロンタルテープ１４の幅方向ｘの中央領域の着色部１６とフロンタルテープ１４の幅方向ｘの一方側の端部領域の着色部１５との離間距離と、フロンタルテープ１４の幅方向ｘの中央領域の着色部１６とフロンタルテープ１４の幅方向ｘの他方側の端部領域の着色部１５との離間距離との差は、３ｍｍ以内であることが好ましく、２ｍｍ以内がより好ましく、１ｍｍ以内がさらに好ましい。
【００５６】
フロンタルテープ１４の幅方向ｘの中央領域の着色部１６の幅は、例えば、１ｍｍ以上が好ましく、３ｍｍ以上がより好ましく、５ｍｍ以上がさらに好ましく、また５０ｍｍ以下が好ましく、４０ｍｍ以下がより好ましく、３０ｍｍ以下がさらに好ましい。
【００５７】
フロンタルテープ１４には、使い捨ておむつ１のサイズ、吸収容量を表す目印、ファスニングテープの止着位置の目安を表す目印、製品のロゴなどが印刷されていてもよい。図６では、フロンタルテープ１４の幅方向ｘの中央領域の着色部１６に、使い捨ておむつ１のサイズとして「Ｍ」の文字が表示され、フロンタルテープ１４の幅方向ｘの中央領域の着色部１６とフロンタルテープ１４の幅方向ｘの両側の端部領域の着色部１５との間に、ファスニングテープの止着位置の目安を表す目印が表示されている。
【００５８】
使い捨ておむつ１は、上記のように構成されたフロンタルテープ１４が設けられているため、使い捨ておむつの製造の際、フロンタルテープ１４の幅方向ｘの両側の端部領域の着色部１５を目印として、フロンタルテープ１４がバックシート３に正しく配置されているか判別することが容易になる。具体的には、フロンタルテープ１４に光を照射して、その透過光または反射光を受光し、フロンタルテープ１４の着色部１５（あるいはさらに着色部１６）の位置を検知することにより、フロンタルテープ１４の配置の良否を判別することができる。従って、本発明の使い捨ておむつの製造方法は、フロンタルテープ１４に光を照射して、その透過光または反射光を受光し、フロンタルテープ１４の幅方向ｘの両側に設けられた着色部１５の位置を検知することにより、フロンタルテープ１４の配置の良否を判別する工程（検査工程）を有することが好ましい。
【００５９】
光の照射は、使い捨ておむつの肌面側と外面側のいずれから行ってもよい。いずれの場合も、使い捨ておむつのフロンタルテープの設けられた箇所に光を照射すればよい。照射する光としては可視光や赤外光を用いることができる。受光装置は、透過光を受光する場合は、使い捨ておむつを挟んで照射装置の反対側に設ければよく、反射光を受光する場合は、使い捨ておむつに対して照射装置と同じ側に設ければよい。受光装置は、フォトダイオード等の受光素子を用いたり、撮像素子を用いることができ、後者の場合は、画像処理を組み合わせてフロンタルテープの着色部の位置を検知することが好ましい。
【００６０】
受光装置が透過光を受光するものである場合は、受光装置によって透過光の強度を測定し、着色部での透過光強度の変化を見ることで、フロンタルテープの配置の良否を判別することができる。受光装置が反射光を受光するものである場合は、受光装置によって反射光を受光し、着色部の位置を検知することで、フロンタルテープの配置の良否を判別することができる。なかでも、受光装置は反射光を受光するものを用いることが好ましく、これによりフロンタルテープの着色部の配置をより正確に検知しやすくなる。この場合、照射装置と受光装置はいずれも使い捨ておむつの外面側（バックシート側）に設けられることとなる。反射光の受光は撮像素子によって行うことが好ましく、これによりフロンタルテープの配置に関する情報を画像情報として取得することができ、フロンタルテープの配置の良否をより正確に判別しやすくなる。
【００６１】
検査工程では、使い捨ておむつ１を長手方向ｙに搬送しながら、フロンタルテープ１４に光を照射して、その透過光または反射光を受光することが好ましい。フロンタルテープ１４の着色部１５は使い捨ておむつ１の長手方向ｙに延びるように設けられているため、使い捨ておむつの連続製造の際に使い捨ておむつ１を長手方向ｙに搬送することで、フロンタルテープ１４の着色部１５の位置を容易に検出することができる。
【００６２】
検査工程の後段には、フロンタルテープの配置の良否の結果を、知覚手段を用いて知覚情報として発する工程を設けることが好ましい。知覚手段としては、液晶モニター、電光表示装置、ＬＥＤ、ランプ等の視覚手段や、ブザー、音楽等の聴覚手段等が挙げられる。知覚手段からは、フロンタルテープが適切に配置されていた場合とそうでない場合とで、異なる知覚情報が発せられるようにすればよい。異なる知覚情報には、知覚情報が発せられない場合も含まれる。なお、当該工程は必須ではなく、例えば検査工程の結果に基づき、フロンタルテープが適切に配置されていなかった場合に、知覚情報を発することなく（知覚情報を変えることなく）自動的にその使い捨ておむつを不良品として排除してもよい。
【００６３】
検査工程の結果、フロンタルテープが適切に配置されていなかったと判別された場合は、その使い捨ておむつを自動的に不良品として排除したり、あるいは人手によって不良品として排除すればよい。また、使い捨ておむつの製造設備の設定を調整して、バックシートにフロンタルテープが適切に配置されるように設定し直すことが好ましい。
【００６４】
検査工程に供する使い捨ておむつは、例えば次のように製造すればよい。すなわち、バックシートの連続体の一方面にフロンタルテープを取り付ける工程；前記バックシートの連続体の他方面に吸収性コアを間隔をあけて配置する工程；前記バックシートの連続体の上に前記吸収性コアを間に配してトップシートの連続体を重ね、おむつ連続体を得る工程；前記おむつ連続体を、隣接する前記吸収性コアの間でおむつの幅方向に延びる切断線で切断し、個別のおむつを得る工程を含む製造方法により、検査工程に供する使い捨ておむつを製造することができる。当該製造方法では、バックシートの連続体やトップシートの連続体をおむつの長手方向に搬送しながら各工程を行うことが好ましい。
【００６５】
フロンタルテープを取り付ける工程は、おむつ連続体を切断する前であればどのタイミングで行ってもよい。フロンタルテープのバックシートの連続体への取り付けは、例えば、吸収性コアをバックシートの連続体に配置する前に行ってもよく、吸収性コアをバックシートの連続体に配置した後、トップシートの連続体を配置する前に行ってもよく、おむつ連続体を得た後に行ってもよい。また、バックシートの連続体の一方面にフロンタルテープを取り付ける工程の代わりに、個別のおむつのバックシートの外面側にフロンタルテープを取り付ける工程を設けてもよい。
【００６６】
使い捨ておむつにサイドシートが設けられる場合は、トップシートの幅方向の両側にサイドシートが接合された連続体を、バックシートの連続体の上に吸収性コアを間に配して重ねればよい。使い捨ておむつにファスニングテープが設けられる場合は、いずれかの工程で、バックシート（の連続体）および／またはトップシート（の連続体）の幅方向の両側にファスニングテープを取り付ければよい。バックシートに模様が施された使い捨ておむつを製造する場合は、バックシートの連続体を供給（搬送）する時点で、模様が施されたものを用いることが好ましい。
【符号の説明】
【００６７】
１：  使い捨ておむつ
２：  トップシート
３：  バックシート
４：  吸収性コア
５：  サイドシート
１１：  ファスニングテープ
１４：  フロンタルテープ
１５：  （フロンタルテープの幅方向の端部領域の）着色部
１６：  （フロンタルテープの幅方向の中央領域の）着色部
【図１】
2018050675.tif 000003
【図２】
2018050675.tif 000004
【図３】
2018050675.tif 000005
【図４】
2018050675.tif 000006
【図５】
2018050675.tif 000007
【図６】
2018050675.tif 000008